(57)【特許請求の範囲】
【請求項１】
建築物の壁面に当接した状態で取り付けられて使用される不陸調整機能を有する建材の取付構造であって、
前記建材は、平面からなる当接面が長手方向に延びるように設けられた木質材からなる建材本体を備え、
上記建材本体の当接面には、当該建材本体の当接面の幅方向の隅角部のうち、壁面に取り付けられて使用される際に外側から見える場所に位置する隅角部に、長手方向全体にわたって長手方向に沿うように切り欠かれた格納部が設けられており、
上記格納部に、上記当接面よりも突出する弾性変形可能な不陸調整材が、外側の端面が前記建材の幅方向の端面と面一になるように取り付けられ、
上記建築物の壁面に当接して使用される際に、上記不陸調整材は、その突出方向の先端面が上記建築物の壁面により該突出方向と反対方向に向かって押し込まれた圧縮状態となって上記格納部内に収容されている一方、上記建材本体の当接面が、上記長手方向に離間する少なくとも２箇所で上記建築物の壁面に当接されていることを特徴とする不陸調整機能を有する建材の取付構造。
【請求項２】
請求項１において、
上記不陸調整材は、上記建材が上記建築物の壁面に当接して使用される際に、少なくとも一部が上記当接面と面一になるまで押し込まれていることを特徴とする不陸調整機能を有する建材の取付構造。
【請求項３】
請求項１において、
上記建築物の壁面には、剛性部材からなる少なくとも１つのスペーサー部材が取り付けられており、
上記建材本体は、上記当接面のうちの少なくとも１箇所が上記スペーサー部材に当接されている一方、上記当接面のうち上記スペーサー部材の取り付け位置に対し上記長手方向に離間する他の少なくとも１箇所が上記建築物の壁面に当接されていることを特徴とする不陸調整機能を有する建材の取付構造。
【請求項４】
請求項１において、
上記建築物の壁面には、剛性部材からなる少なくとも２つのスペーサー部材が上記長手方向に互いに離間して取り付けられており、
上記当接面は、上記長手方向に離間する少なくとも２箇所で上記スペーサー部材に当接されていることを特徴とする不陸調整機能を有する建材の取付構造。
【請求項５】
請求項１〜４のいずれか１つにおいて、
上記建材本体は、長尺状の板状材であり、
上記当接面は、上記板状材の表面又は裏面に設けられていることを特徴とする不陸調整機能を有する建材の取付構造。
【請求項６】
請求項１において、
前記不陸調整材の幅と前記格納部の幅とが同じであることを特徴とする不陸調整機能を有する建材の取付構造。
【請求項７】
請求項１〜４のいずれか１つに記載の建材を左右側板として用いており、上記左右側板の上端間を連結する天板と、上記左右側板の下端間を連結する底板とを備えた矩形枠状の木質材からなる収納ユニットの取付構造であって、
前記左右側板は、上記建築物の壁面に固定されて施工される板状材であり、
上記左右側板の当接面は、上記板状材の木端面に設けられて、該木端面が上記建築物の壁面に当接されて施工されることを特徴とする、不陸調整機能を有する建材を用いた収納ユニットの取付構造。
【発明の詳細な説明】
【技術分野】
【０００１】
本発明は建材の取付構造に関し、特に被固定部上に当接して使用される不陸調整機能を有する建材の取付構造に関する。
【背景技術】
【０００２】
壁や床等の被固定部に建材の当接面を当接させて施工する場合に、被固定部に不陸があると、不陸の凹凸によって被固定部と建材の当接面との間に隙間が発生し、見映えがよくないという問題がある。
【０００３】
上記問題を改善する方法として、被固定部と建材材の当接面との間に不陸調整材を挟み込むことが一般によく知られている。
【０００４】
例えば特許文献１に示されるものでは、下地材と表装板との間に、表装板の裏側全面に柔軟性を有する発泡体を介在させ、スクリュー式のねじの挿入長さの調節により不陸調整を行うようにしている。このものでは、発泡体の柔軟性により下地材の不陸を吸収することができる。
【０００５】
また、特許文献２には、外壁面又は外装材の裏面の少なくとも一方に弾性変形可能な不陸調整材を設け、外装材を該壁面にねじにより固定することにより、外装材と該壁面との間で不陸調整材を圧縮して弾性変形させ、外壁面の凹凸を吸収するようにしたものが提案されている。
【先行技術文献】
【特許文献】
【０００６】
【特許文献１】特開２００９−１３７３９号公報
【特許文献２】特開２００７−２４３３号公報
【発明の概要】
【発明が解決しようとする課題】
【０００７】
しかし、上記従来の特許文献１，２のものでは、被固定部と建材の当接面との間に弾性変形する不陸調整材が介在されるため、建材を被固定部に強固に且つ安定的に取り付けすることができないという問題があった。
【０００８】
本発明は斯かる点に鑑みてなされたものであり、その目的は、被固定部に施工する建材の当接構造を改良することで、不陸がある被固定部に対して、不陸調整をしつつ、強固に且つ安定的に取り付け可能な建材の取付構造を提供することにある。
【課題を解決するための手段】
【０００９】
上記の目的を達成するために、本発明では、平面からなる当接面と、当接面より凹陥した格納部とを建材本体に設け、該格納部に弾性変形可能な不陸調整材を当接面よりも突出するように取り付けることで、その不陸調整材の弾性変形によって不陸調整をしつつ、建材本体を当接面で建築物の壁面に強固に且つ安定的に取り付け可能にした。
【００１０】
具体的には、第１の発明では、建築物の壁面に当接した状態で取り付けられて使用される不陸調整機能を有する建材の取付構造において、前記建材は、平面からなる当接面が長手方向に延びるように設けられた木質材からなる建材本体を備え、上記建材本体の当接面には、当該建材本体の当接面の幅方向の隅角部のうち、壁面に取り付けられて使用される際に外側から見える場所に位置する隅角部に、長手方向全体にわたって長手方向に沿うように切り欠かれた格納部が設けられており、上記格納部に、上記当接面よりも突出する弾性変形可能な不陸調整材が、外側の端面が前記建材の幅方向の端面と面一になるように取り付けられ、上記建築物の壁面に当接して使用される際に、上記不陸調整材は、その突出方向の先端面が上記建築物の壁面により該突出方向と反対方向に向かって押し込まれた圧縮状態となって上記格納部内に収容されている一方、上記建材本体の当接面が、上記長手方向に離間する少なくとも２箇所で上記建築物の壁面に当接されていることを特徴とする。
【００１１】
この第１の発明では、当接面より凹陥した格納部を当接面の長手方向全体にわたって設けるとともに、該格納部に不陸調整材を取り付けるようにしたため、建材の当接面と、建築物の壁面の少なくとも２箇所の固定部が当接した状態で施工することができる。これにより、従来の建材のように当接面と建築物の壁面との間に不陸調整材の全体を介在させる場合と比較して、建材を強固に且つ安定的に建築物の壁面に固定させることができる。
【００１２】
さらに、建材が建築物の壁面に当接して使用される際に、格納部側（切り欠き部分側）の側面から見たときに、格納部の深さに相当する所定幅の不陸調整材が、長手方向全体にわたって見えるようになっている。これにより、例えば、建築物の壁面に不陸があった場合においても、建築物の壁面の凹凸や湾曲を見えにくく（目立たなく）することができ、意匠性を向上させることができる。
【００１３】
第２の発明は、第１の発明において、上記不陸調整材は、上記建材が上記建築物の壁面に当接して使用される際に、少なくとも一部が上記当接面と面一になるまで押し込まれていることを特徴とする。
【００１４】
この第２の発明では、第１の発明と同様に、建材を強固に且つ安定的に建築物の壁面に固定させることができる。
【００１５】
第３の発明は、第１の発明において、上記建築物の壁面には、剛性部材からなる少なくとも１つのスペーサー部材が取り付けられており、上記建材本体は、上記当接面のうちの少なくとも１箇所が上記スペーサー部材に当接されている一方、上記当接面のうち上記スペーサー部材の取り付け位置に対し上記長手方向に離間する他の少なくとも１箇所が上記建築物の壁面に当接されていることを特徴とする。
【００１６】
第４の発明は、第１の発明において、上記建築物の壁面には、剛性部材からなる少なくとも２つのスペーサー部材が上記長手方向に互いに離間して取り付けられており、上記当接面は、上記長手方向に離間する少なくとも２箇所で上記スペーサー部材に当接されていることを特徴とする。
【００１７】
これら第３、第４の発明では、建築物の壁面に剛性部材からなるスペーサー部材が設けられていて、建材本体の当接面がこのスペーサー部材に当接される。このスペーサー部材は剛性材料からなるため、スペーサー部材は、建築物の壁面と同様に作用する。すなわち、建材を強固に且つ安定的に建築物の壁面に固定させることができる。
【００１８】
第５の発明は、第１〜第４の発明のいずれか１つにおいて、上記建材本体は、長尺状の板状材であり、上記当接面は、上記板状材の表面又は裏面に設けられていることを特徴とする。
【００１９】
第７の発明は、請求項１〜４のいずれか１つに記載の建材を左右側板として用いており、上記左右側板の上端間を連結する天板と、上記左右側板の下端間を連結する底板とを備えた矩形枠状の木質材からなる収納ユニットの取付構造において、前記左右側板は、上記建築物の壁面に固定されて施工される板状材であり、上記左右側板の当接面は、上記板状材の木端面に設けられて、該木端面が上記建築物の壁面に当接されて施工されることを特徴とする。
【００２０】
これら第５、第７の発明では、建材本体は板状材であり、これらの建材本体を建築物の壁面に対して強固に且つ安定的に固定させることができる。
【００２１】
第６の発明は、第１の発明において、前記不陸調整材の幅と前記格納部の幅とが同じであることを特徴とする。
【発明の効果】
【００２２】
以上説明したように、本発明に係る建材の取付構造によると、平面からなる当接面と該当接面よりも凹陥した格納部とを建材の建材本体に設け、該格納部に弾性変形可能な不陸調整材を当接面よりも突出するように取り付けることで、不陸調整材によって不陸調整をする一方で、建材本体の当接面と被固定部とを直接当接させて施工することが可能になり、建材を被固定部に強固に且つ安定的に取り付けることができる。
【図面の簡単な説明】
【００２３】
【図１】図１は、本発明の実施形態に係る収納ユニットの斜視図である。
【図２】図２は、側板の拡大斜視図である。
【図３】図３（ａ）は、壁に収納ユニットの側板を固定した状態を示す左側面図であり、図３（ｂ）は同右側面図である。
【図４】図４は、図３（ａ）の領域Ｂの部分拡大図である。
【図５】図５は、図３（ａ）のＶ−Ｖ線断面図である。
【図６】図６は、壁に変形例に係る側板を固定した平面図である。
【発明を実施するための形態】
【００２４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２５】
図１は本発明の実施形態に係る収納ユニットＡの全体構成を示している。この収納ユニットＡは、例えば玄関やリビングルーム等の壁Ｗに対して当接するように設置（施工）され、例えば、衣類や鞄、靴等を収納するために用いられる。
【００２６】
収納ユニットＡは、左右側板１，１と、左右側板１，１の中間に立設された間仕切り板３と、左右側板１，１と間仕切り板３との上端間をそれぞれ連結する天板４，４と、左右側板１，１と間仕切り板３との下端間をそれぞれ連結する底板５，５とを備えた矩形枠状のものであり、左右両側板１，１の後端間は矩形状薄板材からなる背板６で連結されている。図１に示すように、収納ユニットＡは、床Ｆと底板５，５との間に所定高さの空間ができるように壁Ｗに固定されている。間仕切り板３は、背板６の前側に立設されており、左右側板１，１間の空間が間仕切り板３によって２室に区画されている。また、収納ユニットＡの前側は開放され、その開口を開閉する扉は設けられていない。なお、図示しないが、収納ユニットＡの前側開口の全部または一部を開閉可能とするような扉を設けてもよい。
【００２７】
背板６は、上背板６ａ、中背板６ｂ、下背板６ｃからなる。具体的には、下背板６ｃは、左側板１と右側板１との後端下側で掛け渡された下支持体７ｂの下端奥側の隅角部から下側に延びるように一体的に固定され、中背板６ｂは、下支持体７ｂの上端奥側の隅角部に設けられた凹部（図示しない）に上側から嵌挿されている。加えて、中背板６ｂの上側には、左側板１と右側板１との後端上側で掛け渡された上支持体７ａが連続一体的に固定されていて、その上支持体７ａの上側に上背板６ａが連続一体的に上側に延びるように固定されている。
【００２８】
間仕切り板３の上下支持体７ａ，７ｂと対応する位置には、該支持体７ａ，７ｂの外形より若干大きくて左右方向に貫通する矩形状の切欠部３１，３１が形成されている。また、左右側板１，１の後端内側の隅角部で上下支持体７ａ，７ｂと対応する位置には、上下支持体７ａ，７ｂと嵌合するように該支持体７ａ，７ｂの外形より若干大きい有底矩形状の切欠部１７，１７，…が形成されている。なお、図示しないが、例えば、上下支持体７ａ，７ｂには、手前側に向かって突設する連結固定用のダボが設けられており、各側板１の各切欠部１７，１７，…における上下支持体７ａ，７ｂと対向する内壁には、それぞれ、上記支持体７ａ，７ｂから突設されたダボを嵌挿固定するための有底のダボ穴が設けられていて、側板１が上下支持体７ａ，７ｂによって固定支持できるように構成されている。
【００２９】
左側板１と間仕切り板３との間には、高さ位置を変更できるように構成された可動棚板８が掛け渡されている。同様に、右側板１と間仕切り板３との間には、高さ位置を変更できるように構成された可動棚板８，８が掛け渡されている。これらの可動棚板８，８，…を可働可能にする構成は、従来から知られた技術を用いることが可能である。例えば、図示しないが、左右側板１，１の内表面１５，１５（間仕切り板３との対向面）及び間仕切り板３の左右両側面３２，３２に、それぞれ有底状のダボ穴（前後２つ）を高さ方向に複数段並べて形成し、ダボを挿入するダボ穴の段の高さ位置を変えることで、該ダボ穴の上部に載置する可動棚板８，８，…の高さ位置を変えればよい。
【００３０】
図２に示すように、上記側板１は、木質材料からなる板状の側板本体１０と、側板本体１０に一体的に取り付けられた弾性変形可能な不陸調整材１９とを備えている。側板本体１０は、所定寸法（例えば厚さ３５ｍｍ、長さ１８００ｍｍ、幅２３０ｍｍ）に製材され、その表面に塗装処理又はシート巻き込み処理が施されている。
【００３１】
側板本体１０の後端面１１（木端面）には、その厚さ方向に対向する隅角部のうち、収納ユニットＡの外側に位置する隅角部に、側板本体１０の長手方向全体にわたって所定深さＤ１で断面矩形状に切り欠かれた段差部１３が形成されている。
【００３２】
不陸調整材１９は、その長手方向の寸法が側板本体１０の長さと略同じで、長手方向と直交する幅方向の寸法が段差部１３の底面１３ａの幅と略同じであり、かつ、その高さ（側板本体１０の幅方向の長さ）が段差部１３の底面１３ａから後端面１１までの高さＤ１より高くなっている。この不陸調整材１９は、段差部１３の内面（底面１３ａ及び側面の少なくとも一方）に接着剤等を用いて固定されており、その取付固定された状態において、不陸調整材１９の後端面（突出方向外側の端面）１９ａは、後端面１１よりも側板１の幅方向外側に向かって突出した状態（後端面１１より所定高さＤ２だけ突出した状態）になっている。なお、不陸調整材１９は、弾性変形可能に構成されていればよく、その材質は特に限定されないが、例えば、各種クッション材、発泡材、ゴム等を適用することができる。
【００３３】
図１及び図２において、１４，１４，…は側板１の側板本体１０の上下端面（収納ユニットＡの施工後は天井又は床Ｆとの対向面）であり、１５は側板本体１０の裏面（収納ユニットＡの施工後は該収納ユニット内側の表面）であり、１６は側板本体１０の前端面（収納ユニットＡの施工後の該収納ユニット手前側の端面）である。
［収納ユニットの施工方法］
収納ユニットＡの壁Ｗへの施工に際し、まず、作業者は、上下支持体７ａ，７ｂ及び背板６を壁Ｗに固定する。具体的には、例えば、下背板６ｃが一体的に固定された下支持体７ｂをねじ等で壁Ｗに固定し、その後、中背板６ｂ及び上背板６ａが一体的に固定された上支持体７ａを壁Ｗに固定する(図１は施工後の状態を示している）。
【００３４】
次に、左右側板１，１を壁Ｗに施工する。具体的には、まず、作業者は、左右側板１，１の後端面１１，１１と壁Ｗとを対向させ、かつ、段差部１３が収納ユニットＡの左右方向外側に向くように配置する。次に、壁Ｗに固定された上下支持体７ａ，７ｂのダボ（図示しない）と左右側板１，１の切欠部１７，１７に設けられたダボ穴（図示しない）との位置合わせをした状態で、左右側板１，１を後端面１１が壁Ｗに当接するまで奥側に押し込むことにより、後端面１１と壁Ｗとを直接に当接させる。その後、ノックダウン金具（図示しない）等で左右側板１，１と上下支持体７ａ，７ｂとを固定する。
【００３５】
以下において、このときの側板と壁Ｗとの当接状態について図３〜図５を用いて詳細に説明する。図３〜図５は、壁Ｗに右側板１を当接させて固定（施工）した状態を示した図である。図３（ａ）は上記固定状態を示す左側面図であり、図３（ｂ）は同右側面図である。また、図４は、図３（ａ）の領域Ｂのうちの上下端部近傍を拡大した部分拡大図であり、図５は、図３（ａ）のＶ−Ｖ線断面図の一例を示した図である。図３〜５に示すように、壁Ｗは、不陸がある壁であるものとする（図３〜図５では不陸の大きさを誇張して示している）。
【００３６】
図３（ａ）に示すように、右側板１を後端面１１が壁Ｗに当接するまで奥側に押し込むことにより、右側板１の後端面１１は、不陸がある壁Ｗ上において上下に離間した少なくとも２箇所で壁Ｗに当接する。この壁Ｗ上の当接部分を固定部Ｔとする。
【００３７】
ここで、上記壁Ｗ上には、不陸の解消のために剛性材料からなるスペーサー部材９が取付固定されている場合がある。そこで、図４を用いて、右側板１の後端面１１と固定部Ｔとの当接状態について、スペーサー部材９がない場合（図４（ａ））と、スペーサー部材９がある場合（図４（ｂ）、（ｃ））とを場合分けしてより詳細に説明する。このようなスペーサー部材９は、壁Ｗが例えば上下方向の少なくとも一方に向かうにしたがって垂直方向に対して後端面１１と離れる方向に若干傾いているような場合等に用いられ、その傾き度合に応じて厚さ（例えば、１ｍｍ）を決めてねじ等で固定される。なお、スペーサー部材９は、剛性材料であればよく、その材質は特に限定されないが、例えば、ポリプロピレン等の高剛性の合成樹脂、金属等を適用することができる。また、スペーサー部材９の取付位置は、例えば、上下支持体７ａ，７ｂと壁Ｗとの間であり、上下支持体７ａ，７ｂ及び背板６を壁Ｗに施工する際に、上記スペーサー９を上下支持体７ａ，７ｂの裏側に必要に応じて挿入し、垂直方向の傾斜を調整する。
【００３８】
図４（ａ）の例では、後端面１１は、右側板１の上端近傍及び下端近傍を含む少なくとも２箇所において、壁Ｗ上の固定部Ｔ，Ｔ，…と当接している。すなわち、図４（ａ）の例では、固定部Ｔは壁Ｗ上の２箇所以上の固定部Ｔ、Ｔ，…を含む。このように、右側板１の後端面１１は、少なくとも２箇所で壁Ｗ上の固定部Ｔ，Ｔ，…と当接した状態で右側板１を壁Ｗに取り付けることにより、右側板１が壁Ｗに強固に取り付けられている。このことにより、壁Ｗ上に不陸があっても、後端面１１の壁Ｗに対する直接の当接によって右側板１を壁Ｗに強固に取り付けることが可能になり、かつ、その固定の安定性も向上させることができる。
【００３９】
図４（ｂ）の例では、後端面１１は、右側板１の上端近傍を含む少なくとも１箇所において、壁Ｗ上の固定部Ｔと当接する一方で、右側板１の下端近傍において、壁Ｗ上の１つのスペーサー部材９の外表面（施工時に後端面１１と対向する表面）を固定部Ｔとしてそれに当接している。すなわち、図４（ｂ）の例では、固定部Ｔは、壁Ｗ上の１箇所以上の固定部Ｔと、１個以上のスペーサー部材９上に設けられた１箇所以上の固定部Ｔとからなる。換言すると、後端面１１は、壁Ｗ上の固定部Ｔと１箇所以上で直接に当接し、かつ、スペーサー部材９の固定部Ｔと１箇所以上で直接に当接している。ここで、スペーサー部材９が剛性材料からなるため、後端面１１とスペーサー部材９の固定部Ｔとが当接した状態で施工することで、後端面１１が壁Ｗ上の固定部Ｔに直接に当接されて取り付けされる場合と同等の強固な固定をすることができ、その固定の安定性も高い。
【００４０】
図４（ｃ）の例では、後端面１１は、右側板１の上端近傍及び下端近傍において、いずれもスペーサー部材９の固定部Ｔと当接している。すなわち、図４（ｃ）の例では、固定部Ｔは、２個以上のスペーサー部材９，９，…に対して、各スペーサー部材９上の固定部Ｔからなる。換言すると、後端面１１の上下方向において、スペーサー部材９の固定部Ｔと２箇所以上で直接に当接している。ここで、図４（ｂ）の場合と同様に、スペーサー部材９が剛性材料からなるため、後端面１１をスペーサー部材９の固定部Ｔとが当接した状態で施工することで、後端面１１が壁Ｗ上の固定部Ｔに直接に当接されて取り付けされる場合と同等の強固な固定をすることができ、その固定の安定性も高い。
【００４１】
そして、上述のように、側板１を奥側（壁Ｗ側）に押し込んで後端面１１が固定部Ｔに当接した状態において、不陸調整材１９は、後端面１１と側板厚さ方向に隣接する位置において、壁Ｗと段差部１３との間で圧縮変形している。具体的には、図３（ｂ）及び図５に示すように、側板本体１０の後端面１１と固定部Ｔとが当接された状態で、不陸調整材１９は、側板本体１０の後端面１１と側板厚さ方向に隣接する位置において、その後端面１１と略面一になるまで段差部１３内において圧縮され、かつ、不陸調整材１９の後端面１９ａが接触する壁Ｗの不陸による凹凸に沿って、壁Ｗとの隙間を塞ぐように弾性変形している。このような状態において、収納ユニットＡの外側（右側板１の右側又は左側板１の左側）から見ると、側板１の後端と壁Ｗとの間において、上下方向の全体にわたって段差部１３の深さＤ１に相当する幅の不陸調整材１９が見えるようになっている。
【００４２】
以上のようにして側板１を壁Ｗに施工した後、天板４，４、底板５，５、可動棚板８，８，８を取り付けて施工は終了する。この取り付けは、従来から知られた技術を用いることが可能であり、例えば、ダボ、ノックダウン金具等を用いて取り付けることができる。
【００４３】
したがって、本実施形態によると、側板１の後端面１１を少なくとも２箇所で固定部Ｔ，Ｔ，…に当接させることができるため、例えば、側板の後端面の全体と壁との間に不陸調整材が介在する場合と比較して、側板１を壁Ｗに強固に且つ安定的に固定させることができる。従来技術のように、建材の当接面の全体と壁との間に不陸調整材が介在する場合には、建材と壁とが当接する部分がなくなるため、強固な固定が妨げられ、かつ、安定性に欠ける場合が生じるが、本実施形態ではそのようなことが生じることはない。
【００４４】
さらに、本実施形態によると、側板１の後端面１１と壁Ｗ上の固定部Ｔとが当接された場合に、不陸調整材１９が壁Ｗの形状に沿って変形しており、側板１の外側から収納ユニットＡを見ると、側板１の後端面１１と壁Ｗとの隙間が塞がれ、かつ、側板１の後端面１１と壁Ｗとの間において、上下方向の全体にわたって段差部１３の深さＤ１に相当する幅の不陸調整材１９が見えるようになっている。これにより、例えば、壁Ｗに不陸がある場合においても、一見すると所定幅Ｄ１の不陸調整材１９が設けられた側板１があたかも平らな壁上に施工されているようにすることができる。すなわち、所定幅Ｄ１の不陸調整材１９を積極的に見せるようにすることで、一見すると側板１の後端面１１と壁Ｗとの隙間が上下方向全体にわたってあたかも一定であるかのように見える。
【００４５】
ここで、例えば、側板本体１０に対して、段差部１３を設けずに不陸調整材１９を取り付けた場合、上下方向における側板１の後端面１１と壁Ｗとの隙間部分で、側板１の後端面１１と壁Ｗとの隙間がほとんどなく側板１と壁Ｗとが互いに接近している場所と、側板１の後端面１１と壁Ｗとの間に隙間があり、この隙間に不陸調整材１９が充当されている場所とが発生する場合がある。すると、側板１の後端面１１と壁Ｗとが互いに接近している場所と、側板１の後端面１１と壁Ｗとの間に隙間がある場所とで、見た目が著しく異なるため、壁の凹凸や湾曲が目立ち、意匠性が悪くなる問題がある。
【００４６】
また、従来の建材のように当接面と被固定部との間に不陸調整材の全体を介在させた場合において、上記壁の凹凸や湾曲が目立たないようにするために、弾性や柔軟性を有する層厚を厚くすることも考えられるが、建材を被固定部に強固に且つ安定的に取り付けることができないという問題がある。さらに、不陸調整材が弾性変形した後で所定厚さが必要になるため、部材のコストが高くなるという問題がある。
【００４７】
これに対し、本実施形態によると、上述のように、側板１の上下方向の全体にわたって側板１と壁Ｗ（接触面Ｗｃ）との境界部分に段差部１３の深さＤ１に相当する不陸調整材１９が見えるため、上下方向で収納ユニットと壁Ｗ（側板１）との隙間がない場所と隙間がある場所とがある場合においても、建材と壁との隙間の差が見分け難くなり、すなわち、隙間が一定に見えやすくなり、意匠性を向上させることができる。
【００４８】
さらに、段差部１３の深さＤ１を変えることで、建材（側板１）と壁Ｗとの固定強度や安定性を維持しつつ、建材（側板１）と壁Ｗとの隙間を容易に調整することができる。これにより、例えば、壁等の被固定部の不陸の状態（例えば、壁Ｗの凹凸状態や湾曲状態）や建材を設置したり取り付けたりする場所に応じて、建材と壁との間に見える不陸調整材の幅を調整することができるメリットがある。
【００４９】
以上、本発明の好ましい実施形態を説明してきたが、本開示における技術は、これに限定されず、適宜、変更、置き換え、付加、省略などを行った実施形態にも適用可能である。
【００５０】
（その他の実施形態）
前述の実施形態では、不陸調整材１９は、側板本体１０の隅角部に設けられた断面Ｌ字状の段差部１３に取り付けられているものとしたが、これに限定されない。
【００５１】
例えば、図６に示すように、側板本体１０の後端面１１側の板厚方向中央に、長手方向全体にわたって延びる溝１８を設け、この溝１８内に不陸調整材１９を取り付けるようにしてもよい。より具体的には、不陸調整材１９は、前述の実施形態と同様に、後端面１１より所定高さ突出した状態になるように溝１８に取り付け固定されている。そして、図６に示すように、側板１の後端面１１が壁Ｗの固定部Ｔに当接された状態では、後端面１９ａが接触する接触面Ｗｃの形状に沿うように圧縮変形するように構成されている。それ以外の構成及び施工方法は、上述の実施形態及び変形例と同様である。なお、図６では、仮想線で不陸調整材１９の後端面１９ａが圧縮変形される前の状態を示している。
【００５２】
以上のように、側板本体１０に設けた溝１８に不陸調整材１９を取り付けた場合においても、後端面１１と、少なくとも２箇所の固定部とを当接させることができるため、側板１を壁Ｗに強固に且つ安定的に固定させることができる。また、このような溝を設ける構成にすることにより、溝の板厚方向両側において壁と当接させることができるため、より安定的に当接させることができるメリットがある。なお、溝１８の位置は、板厚方向の中央に限定されず、板厚方向のいずれか一方側に寄せられていてもよい。
【００５３】
また、上記の実施形態では、図４において、固定部Ｔが右側板１の上下端に１箇所ずつ設けられている例を示したが、前述の少なくとも２箇所の固定部Ｔの位置は、右側板１の上下端部の位置に限定されない。例えば、建材の中間部分において、建材本体の当接面が被固定部上に設けられた少なくとも２箇所の離間する固定部に当接してもよく、建材の上下寄りのいずれか一方の位置において、少なくとも２箇所の離間する固定部に当接してもよい。また、上記の実施形態において、１つの固定部Ｔが複数の固定部Ｔ，Ｔ，…からなり、該複数の固定部Ｔ，Ｔ，…からなる固定部Ｔが２箇所以上で離間してあり、該２箇所以上で側板本体１０の後端面１１が壁Ｗに直接に当接するようにしてもよい。
【００５４】
また、上記の実施形態において、建材は収納ユニットＡの右側板１であり、不陸調整材１９が壁Ｗと対向する位置に設けられるものとしたが、これに限定されない。例えば、本実施形態に係る右側板１が収納ユニットの左側板１に適用できるのは勿論のこと、側板１に限定されず、他の建材にも適用可能である。具体的には、収納ユニット製品全般、簡易の空間の間仕切り材等に用いる板状の建材として幅広く適用することができる。この場合、その木端面又は木口面に段差部を設けるようにすればよい。例えば、図１の例では、収納ユニットＡが床Ｆから所定高さの空間を設けて設置されるものとしたが、収納ユニットＡが床Ｆに載置状態で設置されるようにし、側板１の下端面１４と床板Ｆとの当接面に対して本発明を適用してもよい。この場合、側板１の下端面１４と表面１２とを接続する隅角部に段差部１３を設け、その段差部１３に不陸調整材１９を取り付ければよい。
【００５５】
また、例えば、収納ユニットＡが天井まで延びている場合に、側板１の上端面１４と表面１２とを接続する隅角部に段差部１３を設け、その段差部１３に不陸調整材１９を取り付けてもよい。
【００５６】
さらに、例えば、室内の床Ｆから天井まで延びるような簡易の空間間仕切り材を取り付ける際に、上記の収納ユニットの場合と同様に、間仕切り材と床板との間や間仕切り材と天井とにおける隅角部に段差部を設け、その段差部に不陸調整材を取り付ければよい。なお、上記の適用例において、段差部に代えて、図６に示すような溝部を設けてもよい。
【００５７】
さらに、本発明に係る建材は、例えば、壁の左右方向に延びる桟材等の板状材に適用することができる。この場合、例えば、桟材の壁との当接面（板状材の表面又は裏面）と上下端面とを接続する隅角部に段差部を設けたり、当接面に溝部を設けたりして、そこに弾性材料からなる不陸調整材を取り付ければよい。
【産業上の利用可能性】
【００５８】
本発明は、建材を被固定部に強固にかつ安定的に固定することができ、かつ、意匠性もよくすることができるので、壁や床に固定する収納製品全般や桟材等に適用することが可能であり、産業上の利用可能性が高い。
【符号の説明】
【００５９】
１  側板（建材）
９  スペーサー部材
１０  側板本体（建材本体）
１１  後端面（当接面）
１３  段差部
１８  溝
１９  不陸調整材
Ｗ  壁（被固定部）
Ｔ  固定部（第１固定部、第２固定部）
【図１】
0006567862.tif 000002
【図２】
0006567862.tif 000003
【図３】
0006567862.tif 000004
【図４】
0006567862.tif 000005
【図５】
0006567862.tif 000006
【図６】
0006567862.tif 000007